(57)【要約】  本発明は、身体の四肢に配置されるカフと、血圧データを測定する測定装置と、所定の時間間隔で測定装置を自動的に起動する制御装置と、種々の測定において測定された血圧データを記憶するための記憶装置とを有し、血圧を長時間に渡り、特に、２４時間以上に渡り血圧を測定する血圧計に関する。本発明によれば、血圧計が測定装置、制御装置および記憶装置がカフに固定される装置本体の一部である携帯型装置として構成されることによって特徴付けられている。
2008538942.tif 000002
【特許請求の範囲】
【請求項１】
身体の四肢に配置されるカフ（１）と、血圧データを測定する測定装置（４、７）と、所定の時間間隔で前記測定装置（４、７）を自動的に起動する制御装置（６）と、種々の測定において測定された血圧データを記憶する記憶装置（１２）とを備え、長時間に渡り、特に２４時間以上に渡り血圧を測定する血圧計であって、
前記血圧計は、前記測定装置（４、７）、前記制御装置（６）、および前記記憶装置（１２）が前記カフ（１）に固定される装置本体（１３）の一部である携帯型装置として構成されることを特徴とする血圧計。
【請求項２】
前記血圧計は手首式装置として構成されることを特徴とする、請求項１に記載の血圧計。
【請求項３】
前記装置本体（１３）は、長時間測定のための着脱可能な記憶カード（１２）、特にＩＣカード及び／又はメモリカードが接続される接続部（１１）を備えることを特徴とする、請求項１又は２のいずれか一項に記載の血圧計。
【請求項４】
記憶カード（１２）は、血圧データを記憶する前記記憶装置の少なくとも一部を構成することを特徴とする、請求項１〜３のいずれか一項に記載の血圧計。
【請求項５】
前記記憶カード（１２）は、血圧の長時間測定のために前記測定装置（４、７）を制御する制御手段を少なくとも一部に備えることを特徴とする、請求項３又は４のいずれか一項に記載の血圧計。
【請求項６】
前記制御装置（６）及び／又は記憶カード（１２）は、該記憶カード（１２）が接続部（１１）に接続されると、血圧の長時間測定のための装置を有効にし、及び／又は起動し、及び／又は準備する制御手段を備えることを特徴とする、請求項１〜５のいずれか一項に記載の血圧計。
【請求項７】
前記制御装置（６）及び／又は記憶カード（１２）は、長時間測定のための、特に測定周期、及び／又は測定間隔、及び／又は測定時間のための制御命令によりプログラムされることを特徴とする、請求項１〜６のいずれか一項に記載の血圧計。
【請求項８】
入力及び／又は出力インターフェース部が前記装置本体に備えられ、
前記入力及び／又は出力インターフェース部を介してデータが前記制御装置（６）及び／又は記憶カード（１２）から読み出され、及び／又は、前記制御装置（６）及び／又は該記憶カード（１２）に書き込まれることを特徴とする、請求項１〜７のいずれか一項に記載の血圧計。
【請求項９】
前記制御装置（６）は、昼間に測定を行う昼間制御と、夜間に測定を行う夜間制御を備え、
種々の手順が昼間および休息時間に特有の時間及び／又はパラメータに応じて実行されることを特徴とする、請求項１〜８のいずれか一項に記載の血圧計。
【請求項１０】
測定が行われる前に警告信号を発信する警告装置を備え、
好ましくは昼間測定の前のみに前記警告装置を起動することを特徴とする、請求項１〜９のいずれか一項に記載の血圧計。
【請求項１１】
夜間測定を行う制御装置は、血圧データの測定中に前記測定装置（４、７）が発生する騒音がより小さくなるよう構成されることを特徴とする、請求項１〜１０のいずれか一項に記載の血圧計。
【請求項１２】
位置測定及び／又は動作検出装置（８）、特にチルトセンサ及び／又は加速度センサは、心臓の基準位置に対する血圧計の位置を測定し、動作を測定するために備えられることを特徴とする、請求項１〜１１のいずれか一項に記載の血圧計。
【請求項１３】
特定の測定の位置データ及び／又は動作データは、血圧データとともに前記記憶装置（１２）に記憶され、及び／又は、血圧データ測定中に基準位置からの偏差及び／又は動作の影響を補正するために前記制御装置（６）に伝達されることを特徴とする、請求項１〜１２のいずれか一項に記載の血圧計。
【請求項１４】
前記制御装置は、位置測定及び／又は動作検出装置に接続され、前記血圧計が基準位置に達し、及び／又は安定して配置された場合にのみ測定を開始するよう構成されることを特徴とする、請求項１２又は１３のいずれか一項に記載の血圧計。
【請求項１５】
前記制御装置（６）は、警告装置に接続され、警告信号が発信されてから所定の時間が終了した時に測定が行われるよう構成されることを特徴とする、請求項１〜１４のいずれか一項に記載の血圧計。
【請求項１６】
制御装置（６）は、位置測定及び／又は動作検出装置に接続され、取得した位置及び／又は動作データに応じて、昼間制御又は夜間制御のいずれか一方を起動することを特徴とする、請求項１〜１５のいずれか一項に記載の血圧計。
【発明の詳細な説明】
【技術分野】
【０００１】
本発明は、身体の四肢に取り付けられるカフ、血圧測定データを測定する測定装置、所定の時間間隔で測定装置を自動的に起動する制御装置、および種々の測定において測定された血圧データを記憶する記憶装置を備え、長時間に渡り、特に２４時間以上に渡り血圧を測定する血圧計に関する。
【背景技術】
【０００２】
２４時間血圧計は、動脈性高血圧の医療診断に重要な装置である。この装置により、血圧は、昼夜、所定の期間間隔で自動的に測定される。取得された血圧データは、記憶装置に記憶され、測定期間の終了時に統計的処理および評価のために医師によって読み出される。
【０００３】
例えば、米国特許番号６，６９９，１９５  Ｂ２で開示される長時間に渡り血圧を測定する従来の血圧計は、通常非常に高価な装置であり、治療期間中は医師により患者に貸し出される必要がある。
【発明の開示】
【発明が解決しようとする課題】
【０００４】
しかしながら、医師は費用を理由に、これらの２４時間測定装置を数多く準備することに前向きでない、もしくは準備することができない。このことは、医師が重要だと見なし、また必要とされる２４時間測定を、医師が行うことができないという残念な事態を招いている。
長時間測定用の従来の商用血圧計の操作は、残念ながら取り扱いがしばしば非常に困難である。その結果、終日に渡る手順は煩わしいとみなされ、患者は重要な２４時間測定を拒むこととなる、という更なる制約が生じている。特に、携帯用２４時間血圧計がベルト部分および測定部に装着され、また、二つの構成部品を接続するケーブルを備えることにより不自由な操作性が生じている。このことは、特に夜間に非常に不便である。
【０００５】
全体として、このことは、２４時間血圧測定の分析が医療上重要で、あるいは必要であるにも係わらず、２４時間血圧測定の分析が非常に少ないという事態を招いている。
【０００６】
本発明は、ここに改善策を提供するものである。本発明の目的は、広い枠組みの中で、費用効果が高く、簡素な長時間に渡る血圧測定を可能とする改良した血圧計を提供することにある。
【課題を解決するための手段】
【０００７】
本発明によれば、この目的は請求項１の血圧計により達成することができる。従属する請求項の構成は、本発明の好適な実施の形態に示す。
【０００８】
本発明によれば、血圧計は、測定装置、制御装置および記憶装置がカフに固定される装置の一部である携帯用装置として構成される。従来技術の米国特許番号６，６９９，１９５  Ｂ２とは対照的に、各々の測定結果の評価および保存のために、上部に測定器具を備えたカフを、据え置き型装置に接続する必要はない。それどころか、血圧計全体は、長時間に渡る測定に必要な全構成要素とともに、カフによって患者のいずれかの四肢に取り付けられ、その結果、測定装置による患者への妨げを著しく減らすことができる。
本発明の基本概念は、高血圧の前歴がある患者がどんな場合でも通常所有している、２４時間測定のための血圧計の利用にある。医師側では、医師の診療所にこれらの装置を必要としないため、医師は、更なる出費および機器の欠点を防ぐことができる。さらに、このような家庭用装置は、従来の２４時間装置よりは明らかに低価格である。
【０００９】
本発明の更なる発展としては、血圧計の本体は接続部を備え、長時間測定のための着脱可能な記憶カード、特にＳｍａｒｔＣａｒｄ（登録商標）及び／又はメモリカードという形態のＩＣカードを接続することができる。このようにして、血圧計は、長時間測定のための記憶カードが挿入されることにより、拡張することができる。
基本装置自体は、従来の家庭用装置と同様に構成されてもよい。この場合、血圧計は、複数の測定データを記憶する記憶容量を備えるために、また、長時間に渡り測定が行われる装置の制御装置を備えるために、付加的な構成部位を備えることによって、長時間測定に後から適応すればよい。基本装置は、この付加的部位の構成により過剰な費用を抑えることができる。さらに、異なる記憶カードを挿入することにより、異なる長時間測定の方法を簡単に実現することができる。
【００１０】
本発明の一の実施形態によれば、記憶カードは、血圧データを記憶する記憶装置の少なくとも一部を構成し、記憶カードが異なる機能を担うようにしてもよい。記憶カードとしての本来の構成に加え、あるいはその代替として、所定の時間間隔で測定装置を自動的に起動する制御装置が、挿入可能なカードに少なくともその一部として備えられてもよい。
測定装置を制御する制御手段は、記憶カード及び／又はＩＣカードに適宜記憶され、基本制御と相互作用するようにしてもよい。ここで、基本制御とは、血圧計の本体に通常備えられ、基本装置により単一の従来測定を行うために使用されるものである。
【００１１】
本発明の更なる発展としては、装置の運転を簡素化するため、記憶カードが装置に挿入された場合に、装置が自動的に長時間測定モードに移行するようにしてもよい。制御装置及び／又は記憶カードは、装置の本体に記憶カードが挿入されることにより、技術的な制御によって長時間に渡る測定のために血圧計を有効にし、及び／又は起動し、及び／又は準備する適切な制御手段を備える。
【００１２】
制御装置及び／又は記憶カードは、長時間に渡る測定のための制御命令によりプログラムされるようにしてもよい。特に、医師は、これにより、測定周期等の長時間測定の運転パラメータを予めプログラムすることができる。
また、血圧計が入力インターフェース部を備えるようにしてもよく、制御装置は、この入力インターフェース部を介し長時間測定の所定のパラメータをプログラムするためにプログラムされる。あるいは／さらに、記憶カードは、このために血圧計から取り外され、書き込み装置に挿入されるようにしてもよい。
【００１３】
また、長時間測定中に取得したデータを、診療所で読み出すこともでき、あるいは、特に電話回線やインターネット回線を介して後に送信することもできる。このため、血圧計は、記憶装置に記憶された測定データを読み取ることができる読取インターフェース部を備えてもよい。あるいは／さらに、記憶カードはこのために血圧計から取り外され、読取機に挿入されるようにしてもよい。
【００１４】
本発明の更なる発展としては、血圧計の制御装置は、昼間および夜間測定を区別して別々に実行し、及び／又は、それぞれの測定が昼間測定か夜間測定か識別する更なるデータを血圧測定データとともに記憶している。
【００１５】
制御装置は、特に昼間測定を行う昼間制御と、夜間測定を行う夜間制御とを備える。これにより、昼間測定か夜間測定かを識別する１日の時間およびパラメータに応じて、異なる測定手順が行われる。
【００１６】
特に昼間測定では、患者は、測定の精度を上げるために、それぞれの測定で血圧計を基準位置、特に心臓の高さに配置し、動かさないよう要求される。このため、本発明の更なる発展としては、血圧計は、測定が行われる前に警告信号を発信する警告装置を備えるようにしてもよい。制御装置の昼間制御のみが警告装置を開始する手段を備えることが好ましく、その結果、警告装置は昼間測定のみに起動され、患者の睡眠への妨げることがない。
【００１７】
測定装置は、夜間制御により、騒音がより小さくなるように制御される。特に、血圧計のカフを満たし、及び／又は空にするポンプは、夜間制御により、騒音を低減するために低電力で稼動される。
【００１８】
本発明の更なる発展としては、血圧計は、患者の心臓に対する血圧計の位置を測定するための位置検出装置、特にチルト、動作、及び／又は加速度センサを備えてもよい。位置データは制御装置に伝達されてもよく、その結果、制御装置は、血圧データ測定中の基準位置からの偏差、及び／又は、血圧データ測定中の不要な動作による不自然な結果を検出し、また補正することができる。あるいは／さらに、位置データは測定された血圧データとともに記憶装置に記憶され、その結果、記憶された血圧データの事後評価の際、不適切な位置及び／又は動作の影響が評価される。
【００１９】
位置測定及び／又は動作検出装置により決められるパラメータは、測定の過程を変更するためにも使用される。本発明の更なる発展としては、制御装置の昼間制御は、位置データ及び／又は動作データの実際の数値と基準値とを比較することができ、この比較に応じて、血圧計が基準位置に十分近く置かれた場合、及び／又は動作が十分少なくなった場合にのみ測定を開始する。あるいは／さらに、昼間制御システムは、前述した警告装置の警告信号に応じて機能し、警告信号が発信されてから所定の期間が終了した時にのみ測定を行うようにしてもよい。
【００２０】
本発明の更なる発展としては、制御装置は、位置測定及び／又は動作検出装置に応じて、昼間制御および夜間制御の切り替えを行う。夜間または休憩状態は、動作が比較的少ないことにより、及び／又は、血圧計が比較的常に心臓の高さに置かれることにより認知される。
【００２１】
あるいは／さらに、制御装置の夜間制御は、位置測定装置及び／又は動作検出装置の信号とは独立して機能する。夜間の測定では、患者が横になっている場合、心臓に対する血圧計の位置に関する位置の問題はないと最初に想定される。
【００２２】
これらの、また更なる特有な構成は、請求項と同様に、後述する説明および図面によっても明らかである。個々の特有な構成は、個々の特有な構成自身によって、または本発明の形態のサブコンビネーションという形によって、また、他の領域によって具現化することができる。
【発明を実施するための最良の形態】
【００２３】
以下、本発明の一例を図面に示し、詳細に説明する。
図１は、本発明の好適な形態に係る、挿入可能な記憶カードにより長期間に渡る測定に拡張される手首式血圧計の概略斜視図を示す。
【００２４】
図１に示す血圧計はカフ１を備え、カフ１は患者の手首付近に取り付けられ、また、例えば面ファスナー２により固定される。カフ１は、既知の方法により流動体で満たされる。
このため、ポンプ４は、カフ１の上面に固定される機器筐体３に配置される。ポンプ４は、電力源５より供給され、電力源５は、例えば電池または蓄電池という形態で機器筐体３の適切な場所に配置される。このポンプ４は、同じく機器筐体３に配置される制御装置６により制御され、その結果、所定の工程に従いカフ１を膨らませ、そしてまた萎ませることができる。
【００２５】
さらに、血圧計は圧力センサ７を備え、これにより、測定の過程で設定されるカフ１の圧力信号が検出され、制御装置６で評価される。
さらに、位置・動作センサ８は機器筐体３に配置される。制御装置６は、センサ８からの信号により、血圧計が心臓部の基準位置に十分に近く置かれたか否か、また血圧計が十分に安定して配置されているか否かを認識することができる。
【００２６】
図１に示すように、測定された血圧を表示し、及び／又は信号や命令をユーザに示す表示部９、および、制御命令を入力する複数の制御ボタン１０は機器筐体３に配置され、それぞれ制御装置６へ接続されている。
【００２７】
さらに、機器筐体３は接続部１１を備え、接続部１１にはＩＣカード及び／又はメモリカードという形態の記憶カード１２が接続され、これにより、血圧計は長時間測定装置へと拡張される。
一方、記憶カード１２は、書き込み可能な記憶装置を構成し、長時間測定中に取得した測定データを記憶するための十分な記憶領域を提供している。
一方、機器筐体３の制御装置６と相互作用し、制御装置６を長時間測定に適応させる特別な制御アリゴリズムが記憶カードに記憶されるようにしてもよい。とりわけ、制御装置６が圧力センサ７および位置・動作センサ８によりポンプ４を自動的に起動し、測定を行うという長時間測定の手順、特に測定の間隔が記憶カード１２に記憶されてもよい。
【００２８】
また、筐体のＩＣカードの挿入口を、ここに図示されているのとは別の、特に測定のための筐体の胸部が配置される図示されている側面ではない、３つの端面のいずれかに代替的に設けてもよい。
【００２９】
医師は、必要な制御命令を用いて、記憶カード１２を予めプログラムすることができる。これにより、筐体３に記憶カード１２が挿入された場合、制御装置６の長時間モードが自動的に起動される。測定の終わりには、医師は、長時間測定中に記憶カード１２に書き込まれた測定データを評価することができる。このため、記憶カード１２は筐体３からもう一度取り外され、適切な読取機に挿入される。
あるいは／さらに、制御装置６および挿入された記憶カード１２からデータを読み取ることのできる、あるいは反対に書き込みのできる適切なインターフェース部を機器筐体３に配置してもよい。
【図１】
2008538942.tif 000003
【国際調査報告】
2008538942.tif 000004
2008538942.tif 000005
2008538942.tif 000006
2008538942.tif 000007
2008538942.tif 000008
2008538942.tif 000009
2008538942.tif 000010
2008538942.tif 000011
2008538942.tif 000012
2008538942.tif 000013